(57)【要約】【課題】  薄型化を可能とする共に、高耐入力化、再生周波数帯域の確保を実現することができるスピーカを提供する。【解決手段】  ボイスコイル４を駆動する磁気回路２と、ボイスコイル４が取り付けられている振動板３と、磁気回路２の外側に取り付けられていると共に、振動板３に対するボイスコイル４の取り付け部分の周囲に、可動部がそれぞれ取り付けられている複数のダンパ５とを有する。また、振動板３は、ボイスコイル４の取り付け部分の周囲に円錐状のコーン部３Ｃを有し、コーン部３Ｃの先端部分にダンパ５の可動部がそれぞれ取り付けられている。【選択図】  図２
2006020124.tif 000002
【特許請求の範囲】
【請求項１】
ボイスコイル（４）を駆動する磁気回路（２）と、
前記ボイスコイル（４）が取り付けられている振動板（３）と、
前記磁気回路（２）の外側に取り付けられていると共に、前記振動板（３）に対する前記ボイスコイル（４）の取り付け部分の周囲に、可動部がそれぞれ取り付けられている複数のダンパ（５）と、
を有することを特徴とするスピーカ。
【請求項２】
前記振動板（３）は、前記ボイスコイル（４）の取り付け部分の周囲に円錐状のコーン部（３Ｃ）を有し、
前記コーン部（３Ｃ）の先端部分に前記ダンパ（５）の可動部がそれぞれ取り付けられていることを特徴とする請求項１に記載のスピーカ。
【発明の詳細な説明】
【技術分野】
【０００１】
本発明は薄型のスピーカに関する。
【背景技術】
【０００２】
薄型化された装置にスピーカを組み込む場合、このスピーカにも薄型のものが要求される。特に、この装置が液晶パネルなどを用いた薄型テレビジョンである場合、薄型テレビジョンの厚さも必然的に薄くなる。こうした薄型の装置にスピーカを組み込む場合、特に厚みの薄いスピーカが必要である。さらに、薄型テレビジョンのような装置では、液晶パネルの両側にスピーカが配置されるために、スピーカの形状として、細長形状のものが要求される。こうした装置に用いられるスピーカとして、複数の磁気回路を有するものがある（特許文献１）。
【特許文献１】特開平１０−３２７４９１号公報
【発明の開示】
【発明が解決しようとする課題】
【０００３】
従来のスピーカを薄型形状にする場合には、次の課題がある。従来のスピーカは、高耐入力化、再生周波数帯域の確保を実現するために、振動板を円錐形状にし、振動板の底部にボイスコイルを取り付け、ボイスコイルにダンパを取り付け、さらに、ダンパを振動板と磁気回路との間に設ける構造である。この構造、つまり、振動板と磁気回路との間にダンパを有する構造のために、液晶テレビジョンのような厚みの薄い装置に組み込むために、スピーカを薄型化することが困難である。
【０００４】
また、前記の特許文献１に記載のスピーカでは、振動板が平面形状をしているので、高耐入力化および再生周波数帯域の確保をすることができない。
【０００５】
本発明は、前記の課題を解決し、薄型化を可能とする共に、高耐入力化、再生周波数帯域の確保を実現することができるスピーカを提供することにある。
【課題を解決するための手段】
【０００６】
前記課題を解決するために、請求項１の発明は、ボイスコイルを駆動する磁気回路と、前記ボイスコイルが取り付けられている振動板と、前記磁気回路の外側に取り付けられていると共に、前記振動板に対する前記ボイスコイルの取り付け部分の周囲に、可動部がそれぞれ取り付けられている複数のダンパとを有することを特徴とするスピーカである。
請求項２の発明は、請求項１に記載のスピーカにおいて、前記振動板は、前記ボイスコイルの取り付け部分の周囲に円錐状のコーン部を有し、前記コーン部の先端部分に前記ダンパの可動部がそれぞれ取り付けられていることを特徴とする。
【発明の効果】
【０００７】
本発明によれば、１つの磁気回路を有するスピーカであっても、磁気回路の外側にダンパを設け、かつ、振動板にダンパを取り付ける際に、ボイスコイルの取り付け部分の周囲にダンパの可動部をそれぞれ取り付けたので、薄型化を可能にし、しかも、十分な振幅の確保を可能にすることができる。
また、本発明によれば、ボイスコイルの取り付け部分の周囲に円錐状のコーン部を形成し、このコーン部の先端部分にダンパの可動部をそれぞれ取り付けたので、振動板の全高を高くすることができ、高耐入力化、および再生周波数帯域の確保を実現することができる。
【発明を実施するための最良の形態】
【０００８】
つぎに、本発明を実施するための最良の形態について、図面を参照して説明する。図１は、本実施形態によるスピーカを示す平面図であり、図２は、図１のＩ−Ｉ断面を示す断面図である。また、図３は、図１のII−II断面を示す断面図であり、図４は、図１のIII−III断面を示す断面図ある。このスピーカは、フレーム１、磁気回路２、振動板３、ボイスコイル４、ダンパ５、および端子部６で構成されている。
【０００９】
フレーム１は細長形状をしている。フレーム１には、トラック形状をした第１の開口１Ａを有する凹部が設けられている。この凹部の底の中央には、円形をした第２の開口１Ｂと、第２の開口１Ｂを挟んで円形をした第３の開口１Ｃとが、フレーム１の長手方向に沿って開けられている。なお、図１の１Ｄはスピーカを取り付けるための取付け穴である。
【００１０】
フレーム１の第２の開口１Ｂには、磁気回路２が取り付けられている。磁気回路２は、円柱状のヨーク２Ａを備え、ヨーク２Ａの周囲にマグネット２Ｂとプレート２Ｃとを備えている。つまり、ヨーク２Ａのフランジ部分２Ａ１にマグネット２Ｂが固定され、マグネット２Ｂにプレート２Ｃが固定されている。そして、プレート２Ｃがフレーム１の第２の開口１Ｂの周縁部分に固定されている。プレート２Ｃとヨーク２Ａとの間には、ギャップが形成されている。
【００１１】
フレーム１の第１の開口１Ａには、振動板３が取り付けられている。つまり、振動板３の支持材３Ａのエッジ部分が、第１の開口１Ａのエッジ部分に取り付けられている。振動板３の中央部分には、円形状をした第１の取付け穴３Ｂが開けられている。第１の取付け穴３Ｂには、ボイスコイル４の円筒形状のボビン４Ａが固定され、ボイスコイル４のコイル部分４Ｂは、磁気回路２の先に述べたギャップに挿入されている。振動板３側に位置するボビン４Ａの端部は、キャップ４Ｃによって塞がれている。ボイスコイル４は、磁気回路２によって駆動され、振動板３を振動させる。振動板３の第１の取付け穴３Ｂを挟んでフレーム１の長手方向に、円錐形状をしたコーン部３Ｃがそれぞれ形成されている。コーン部３Ｃの先端に位置する部分には、円形の第２の取付け穴３Ｄが開けられている。本実施形態においては、振動板３の後面側に磁気回路２が配置され、かつ、振動板３が２つのコーン部３Ｃを持つ構造である。つまり、振動板３に円錐形状の２つのコーン部３Ｃを設けているので、振動板３の全高を高くしている。
【００１２】
振動板３の第２の取付け穴３Ｄには、円板状をしたダンパ５がそれぞれ取り付けられている。ダンパ５の外側の周縁部は、フレーム１の第３の開口１Ｃの周縁部に固定されている。ダンパ５の中心部には、円筒状をした凸部５Ａが形成されている。ダンパ５の外側の周縁部と凸部５Ａとの間が、凹凸状に加工されている。ダンパ５の凸部５Ａが先に述べたように振動板３の第２の取付け穴３Ｄに取り付けられている。本実施形態においては、磁気回路２の外側に２つのダンパ５が配置され、さらに、ダンパ５の可動部が振動板３のコーン部３Ｃの先端部分に固定されている構造である。つまり、ボイスコイル４のボビン４Ａにダンパ５を直接取り付けない構造であり、ダンパ５は、ボイスコイル４のコーン部３Ｃの動きを規制することにより、ボイスコイル４のコイル部分４Ｂが磁気回路２のギャップに正確に位置するようにしている。
【００１３】
フレーム１には、板状の折曲げ部分１Ｅがあり、折曲げ部分１Ｅには端子部６の端子６Ａが取り付けられている。端子部６のリード線６Ｂは、端子６Ａとボイスコイル４のコイル部分４Ｂとを電気的に接続するものであり、リード線６Ｂの一端が端子６Ａに挿入されて接続され、他端が振動板３の凸部５Ａに固定されている。そして、リード線６Ｂの他端には、ボイスコイル４のコイル部分４Ｂからのリード線が、振動板３を経て接続されている。
【００１４】
本実施形態によるスピーカは前記の構成である。この構成によれば、従来のように、ボイスコイルのボビンにダンパを取り付けていないので、ダンパ５下の振動スペースを取ることが不要になり、スピーカを薄型にすることができる。
【００１５】
また、この構成によれば、磁気回路２の外側に２つのダンパ５を設けているので、磁気回路２の厚み分をダンパ５が振動するスペースとして利用することができ、スピーカを薄型にすることができる。
【００１６】
さらに、この構成によれば、振動板３に２つのコーン部３Ｃを設けて、振動板３の全高を高くすることで、形状剛性を得ることができ、高耐入力化を実現することができ、再生周波数帯域を確保することができる。
【００１７】
以上、本発明の実施形態を詳述してきたが、具体的な構成は本実施形態に限られるものではなく、本発明の要旨を逸脱しない範囲の設計の変更等があっても、本発明に含まれる。
【図面の簡単な説明】
【００１８】
【図１】本発明の実施形態によるスピーカを示す平面図である。
【図２】図１のＩ−Ｉ断面を示す断面図である。
【図３】図１のII−II断面を示す断面図である。
【図４】図１のIII−III断面を示す断面図である。
【符号の説明】
【００１９】
１  フレーム
１Ａ  第１の開口
１Ｂ  第２の開口
１Ｃ  第３の開口
１Ｄ  取付け穴
１Ｅ  折曲げ部分
２  磁気回路
２Ａ  ヨーク
２Ａ１  フランジ部分
２Ｂ  マグネット
２Ｃ  プレート
３  振動板
３Ａ  支持材
３Ｂ  第１の取付け穴
３Ｃ  コーン部
３Ｄ  第２の取付け穴
４  ボイスコイル
４Ａ  ボビン
４Ｂ  コイル部分
４Ｃ  キャップ
５  ダンパ
５Ａ  凸部
６  端子部
６Ａ  端子
６Ｂ  リード線
【図１】
2006020124.tif 000003
【図２】
2006020124.tif 000004
【図３】
2006020124.tif 000005
【図４】
2006020124.tif 000006